(57)【特許請求の範囲】
【請求項１】
家具を吊るすための取付け具（１０）であって、
−家具に固定される実質的に平らなプレート（１２）と、
−前記プレートと関連し、且つ、使用中、壁上に固定されたコネクタ（Ｓ）に掛けられるように構成されているフック止め部材（１６）と、
前記フック止め部材（１６）の吊り下げ箇所の下方で、前記固定されたコネクタ（Ｓ）に当接し、および／または圧接するようになっている、且つ、前記プレート（１２）の平面から遠ざかることができるように取付けられた、調節可能な阻止手段（５０）を有し、それによって、前記フック止め部材が、前記固定されたコネクタに常に拘束されている状態に維持され、
前記調節可能な阻止手段は、前記フック止め部材（１６）の近くに配置されたネジダボ（５０）であり、前記ネジダボは、前記プレート（１２）の平面からの前記ネジダボの自由端の距離を調節するためにねじ込むことができ、
調節可能な位置で前記プレート（１２）上を移動可能な、且つ、ネジダボ（５０）を支持するスライド（１４）を有する前記取付け具において、
前記スライドは、前記フック止め部材（１６）を支持する、
ことを特徴とする取付け具。
【発明の詳細な説明】
【技術分野】
【０００１】
本発明は、家具を吊り下げるための改良された取付け具に関する。
【背景技術】
【０００２】
例えばキッチン家具等の吊り下げ家具を壁に掛けるために、壁ブラケットへのフック止め部材の締め付け具を有する特別な吊り下げ支持部が用いられる。据付け中、フック止め部材の適当な調節により、家具は、完全に水平に且つ動かないように壁に掛かって配置される。
【０００３】
国際公開第２００４／０３２６８１号には、プレート２１（図２）および下端が水平軸線の周りにヒンジ止めされたフック止め部材２０が開示されている。
【０００４】
欧州特許第０５５５９２４号には、プレート１１１（図１１）、壁ブラケットに固定されるべき関連したフック止め部材１２６、およびフック止め部材１２６の高さおよび奥行きの位置を調節するための２つのネジを有する機構を有する取付け具が記載されている。
【先行技術文献】
【特許文献】
【０００５】
【特許文献１】国際公開第２００４／０３２６８１号パンフレット
【特許文献２】欧州特許第０５５５９２４号明細書
【発明の概要】
【発明が解決しようとする課題】
【０００６】
これらの支持体において、取付け具をブラケットに掛けるフック止め部材は、フック止め部材が外れることなしにフック止めされたままであることを保証しないという問題が存在する。もし、例えば、移動または地震中、吊り下げ家具が激しい揺れにあうことを想定したとき、ぐらついている間、それらのブラケットから外れる可能性は非常に高く、このようなことは、人的安全の理由から完全に回避しなければならない。
本発明の目的は、壁へのしっかりとしたフック止めを保証でき、家具の偶発的な離脱を防ぐ、上記のタイプの取付け具を製造することにある。
【課題を解決するための手段】
【０００７】
そのような目的は、
−家具に固定される実質的に平らなプレートと、
−プレートと関連し、且つ、使用中、壁に固定されたコネクタ（Ｓ）に掛けるように構成されたフック止め部材と、を有する取付け具において、
固定されたコネクタに、フック止め部材の吊り下げ箇所の下方で係合するようになっている調節可能な阻止手段を有し、それによって、フック止め部材が常に上記固定されたコネクタに拘束状態に維持されることを特徴とする取付け具によって達成される。
【０００８】
調節可能な阻止手段は、接合手段、爪手段、バネ手段、干渉手段、あるいはそれらの組み合わせであるのがよい。
【０００９】
好ましくは、阻止手段は、
−フック止め部材の吊り下げ箇所の下方で、上記固定されたコネクタに係合するために、プレートの平面から遠ざかることができるように取付けられた調節可能な部材と、
−上記固定されたコネクタにその自由端で係合するように移動可能にプレートに対してヒンジ止めされた剛性部材と、を有するもの
として実施される。
【００１０】
本発明およびその利点は、添付の図面と一緒に好ましい実施形態の以下の記載からより明らかになるであろう。
【図面の簡単な説明】
【００１１】
【図１】図１は、本発明による取付け具の３次元図を示す。
【図２】図２は、図１の取付け具の３次元背面図を示す。
【図３】図３は、図１の取付け具の側断面図を示す。
【図４】図４は、図１の取付け具の変形例の側断面図を概略的に示す。
【図５】図５は、図１の取付け具の他の変形例の側断面図を概略的に示す。
【発明を実施するための形態】
【００１２】
図１乃至図３では、取付け具は参照番号１０によって示されており、家具（図示せず）の後部に固定されるプレート１２と、このプレート１２上で調節可能な位置に移動することのできるスライド１４とを有する。
【００１３】
スライド１４上には、壁に固定されたコネクタＳに取付け具１０をフック止めする役割をする、フック止め部材１６（ほぼマッシュルーム形）がある（図３参照）。フック止め部材１６は、スライド１４にほぼ垂直な方向にねじ込むことができるネジシャンク１８を有する。部材１６を回転させることによって、プレート１２の面から部材１６までの距離（二重矢印Ｆ参照）は、かくして、部材１６をコネクタＳに適合させるために変化させることができる（図３の点線も参照）。
【００１４】
スライド１４には、ダボ４０が、その端部をスライド１４中にねじ込んで取付けられている。ダボ４０は、プレート１２に設けられたストライク部材４４に当接可能である。ダボ４０を幾分ねじ込むことによって、その本体は、スライド１４の本体から幾分逃げることができる。かくして、ストライク部材４４からのスライド１４の最小距離は増減し、プレート１２上のスライド１４の位置が決定される。
【００１５】
スライド１４には、更に、第２のダボ５０が取付けられており、該ダボ５０は、スライド１４に設けられた、且つスライド１４に実質的に垂直な軸線Ｘ２を有する貫通ねじ穴にねじ込むことができる。ダボ５０は、スライド１４のダボ４０とは反対側の終端に配置されており、部材１６の壁コネクタＳからの抜け落ちを回避するように作用する。
【００１６】
実際には、一旦、フック止め部材１６を支持部Ｓに掛けたら（図３参照）、ダボ５０を回転させてスライド１４から更に突出させる。その自由端は、フック止め部材１６の下方の箇所で支持部Ｓに当接し、および／または支持部Ｓに圧接する。ダボ５０によって及ぼされる力、コネクタＳの摩擦および／または相補的な形状により、コネクタＳがダボ５０によってフック止め部材１６上にとどまるように離脱を阻止する。ダボ５０は、デバイス１０の（従って、家具の）持ち上げ部と対向しており、それ故に、フック止め部材１６の拘束が常に確保される。
【００１７】
ダボ４０、５０へのアクセスおよび調節ができるようにするために、プレート１２は、例えば、ネジ回しを容易に挿入することができる後部長手方向中央スロット７０を有する（この目的のために、家具もまた、対応するスロットを有する）。
【００１８】
本発明の原理を、また、異なる支持部に用いることができる（図４参照）。ここでは、取付け具１００は、壁ブラケットＳに掛けられるようになっているフック止め部材１１５がヒンジ止めされるプレート１１２を有する。部材１１５の吊り下げ箇所の下方に、ダボ１５０が配置され、該ダボ１５０は、軸線Ｘ３に沿って部材１１５の中にねじ込むことができる。かくして、ダボ１５０は、ねじをゆるめることにより、部材１１５から更に突出し、支持部Ｓの下方で支持部Ｓに当接する。この位置で、部材１１５は、部材１１５の吊り下げ箇所の下方で、支持部Ｓ上で動きが阻止されたままとなり、外れない。
【００１９】
他の変形例を図５に示す。取付け具２００は、壁ブラケットＳに掛けられるようになっているフック止め部材２１５がヒンジ止めされているプレート２１２を有する。部材２１５の吊り下げ箇所の下方に、部材２１５自体にヒンジ止めされた振動部材すなわちフック２５０がある。振動部材２５０は、自由に回転可能であり（二重矢印Ｋ参照）、支持部Ｓの下で、その自由端を支持部Ｓに当接させ、例えば、１つ以上の阻止歯で留めて連結することができる。従って、この構成で、部材２１５は支持部Ｓ上でブロックされ、外れないことに気付くであろう。
【００２０】
また、作動位置で、振動部材２５０の動きを阻止するようにしてもよい。これを行うためのシステムは、部材２１５に回転可能に取付けられた第３のネジダボ（図示せず）である。ダボは、振動部材２５０の対応する雌ネジにねじ込むようにし、振動部材の傾きと支持部Ｓへ向う開きを調整することを可能にする。ダボを部材２５０上に回転可能に配置し、雌ネジを部材２１５中に設けることによって、ダボの位置および雌ネジの位置を入れ替えてもよい。
【図１】
0005670062.tif 000002
【図２】
0005670062.tif 000003
【図３】
0005670062.tif 000004
【図４】
0005670062.tif 000005
【図５】
0005670062.tif 000006